(57)【要約】【課題】落下物の衝突によりヒータの調節部が高温側に回転することを抑制できる暖房装置を提供すること。【解決手段】ヒータ（２１）を内蔵する本体部（２０）は、操作面部（３０）から延びる壁部（４０）を有している。この壁部（４０）は、調節部（３１）を囲うように略Ｕ字状に形成され、調節部（３１）の背面部（２５）側の部位を覆っている底部（４１）と、この底部（４１）の両端から前面部（２４）側に向けて互いに略平行に延びる平行部（４２，４３）と、からなる。この平行部（４２，４３）は、操作面部（３０）が側方に位置している状態を基準として、調節部（３１）の上下を挟み込む。平行部（４２，４３）の先端部（４２ａ，４３ａ）は、共に、回転軸（Ｎ）の上下に位置し、又は、回転軸（Ｎ）よりも前面部（２４）側に位置している。【選択図】図３
2018151150.tif 000002
【特許請求の範囲】
【請求項１】
基部と、この基部から立ち上げられた支柱部と、この支柱部に取り付けられヒータを内蔵する本体部と、からなり、
前記本体部は、
略直方体状に形成され、前記ヒータを視認可能な前面部と、この前面部に沿って設けられ前記ヒータの背面を覆っている背面部と、これらの前面部の端部から背面部の端部までを繋ぐ操作面部と、この操作面部に設けられ前記操作面部の法線方向を回転軸として回転することにより前記ヒータの温度を調節可能な調節部と、を有していると共に、
前記操作面部が上方又は側方に位置するよう前記支柱部に回転可能に支持されている暖房装置において、
前記本体部は、前記操作面部から延びる壁部を有し、
この壁部は、前記調節部を囲うように略Ｕ字状に形成され、前記調節部の前記背面部側の部位を覆っている底部と、この底部の両端から前記前面部側に向けて互いに略平行に延びる平行部と、からなり、
この平行部は、前記操作面部が側方に位置している状態を基準として、前記調節部の上下を挟み込み、
前記平行部の先端部は、共に、前記回転軸の上下に位置し、又は、前記回転軸よりも前記前面部側に位置していることを特徴とする暖房装置。
【請求項２】
前記壁部は、前記操作面部の縁に沿って設けられていることを特徴とする請求項１に記載の暖房装置。
【請求項３】
前記調節部は、前記操作面部が側方に位置している状態を基準として、回転軸よりも前記前面部側の部位が下方に回転するに伴いヒータの温度を低くし、
前記平行部は、前記前面部側に向かって下方に傾斜していることを特徴とする請求項１又は請求項２に記載の暖房装置。
【請求項４】
前記壁部の一部は、光が透過可能な透過部を有し、この透過部の内部には、前記光を発する光源部が設けられていることを特徴とする請求項１〜請求項３のいずれか１項に記載の暖房装置。
【発明の詳細な説明】
【技術分野】
【０００１】
本発明は、回転によりヒータの温度調節が可能な調節部を有する暖房装置に関する。
【背景技術】
【０００２】
室内を暖める暖房装置には、床置タイプのものがある。床置タイプの暖房装置に関する従来技術として特許文献１に開示される技術がある。
【０００３】
図５を参照する。図５（ａ）は、特許文献１の図７を再掲して符号を振り直したものである。特許文献１に開示された暖房装置１００は、基部１０１と、この基部１０１から立ち上げられた支柱部１０２と、この支柱部１０２に取り付けられヒータを内蔵する本体部１０３と、からなる。
【０００４】
本体部１０３は、略直方体状に形成され、ヒータを視認可能な前面部１０４と、この前面部１０４に沿って設けられヒータの背面を覆っている背面部１０５と、これらの前面部１０４の端部から背面部１０５の端部までを繋ぐ操作面部１０６と、この操作面部１０６に設けられヒータの温度を調節可能なつまみ１０７（調節部１０７）と、を含む。つまみ１０７は、円柱状を呈し、操作面部１０６の法線方向を回転軸として回転する。
【先行技術文献】
【特許文献】
【０００５】
【特許文献１】特開２０１０−３８５１３号公報
【発明の概要】
【発明が解決しようとする課題】
【０００６】
ところで、本体部１０３は、操作面部１０６が上方又は左方に位置するよう支柱部１０２に回転可能に支持されている。図５（ｂ）には、操作面部１０６が左方に位置している暖房装置１００が示されている。物１０８が落下し、つまみ１０７の側面部１０７ａに衝突した場合、つまみ１０７が回転し、ヒータの温度が変更される虞がある。
【０００７】
本発明は、落下物の衝突によりヒータのつまみ（調節部）が回転することを抑制できる暖房装置の提供を課題とする。
【課題を解決するための手段】
【０００８】
請求項１による発明によれば、基部と、この基部から立ち上げられた支柱部と、この支柱部に取り付けられヒータを内蔵する本体部と、からなり、
前記本体部は、
略直方体状に形成され、前記ヒータを視認可能な前面部と、この前面部に沿って設けられ前記ヒータの背面を覆っている背面部と、これらの前面部の端部から背面部の端部までを繋ぐ操作面部と、この操作面部に設けられ前記操作面部の法線方向を回転軸として回転することにより前記ヒータの温度を調節可能な調節部と、を有していると共に、
前記操作面部が上方又は側方に位置するよう前記支柱部に回転可能に支持されている暖房装置において、
前記本体部は、前記操作面部から延びる壁部を有し、
この壁部は、前記調節部を囲うように略Ｕ字状に形成され、前記調節部の前記背面部側の部位を覆っている底部と、この底部の両端から前記前面部側に向けて互いに略平行に延びる平行部と、からなり、
この平行部は、前記操作面部が側方に位置している状態を基準として、前記調節部の上下を挟み込み、
前記平行部の先端部は、共に、前記回転軸の上下に位置し、又は、前記回転軸よりも前記前面部側に位置していることを特徴とする暖房装置が提供される。
【０００９】
請求項２に記載のごとく、好ましくは、前記壁部は、前記操作面部の縁に沿って設けられている。
【００１０】
請求項３に記載のごとく、好ましくは、前記調節部は、前記操作面部が側方に位置している状態を基準として、回転軸よりも前記前面部側の部位が下方に回転するに伴いヒータの温度を低くし、
前記平行部は、前記前面部側に向かって下方に傾斜している。
【００１１】
請求項４に記載のごとく、好ましくは、前記壁部の一部は、光が透過可能な透過部を有し、この透過部の内部には、前記光を発する光源部が設けられている。
【発明の効果】
【００１２】
請求項１に係る発明では、ヒータを内蔵する本体部は、操作面部から延びる壁部を有している。壁部は、ヒータの温度を調節可能な調節部を囲うように略Ｕ字状に形成され、調節部の背面部側の部位を覆っている底部と、この底部の両端から前面部側に向けて互いに略平行に延びる平行部と、からなる。平行部は、操作面部が側方に位置している状態を基準として、調節部の上下を挟み込み、平行部の先端部は、共に、回転軸の上下に位置し、又は、回転軸よりも前面部側に位置している。
【００１３】
即ち、回転軸を基準として、ヒータの温度を調節可能な調節部の少なくとも半分は、前面部側に開口した略Ｕ字状の壁部に囲まれている。そのため、ヒータを内蔵する本体部が回転して操作面部が左方に位置する状態において、物が、調節部に向かって落下しても、落下物は、調節部に衝突する前に、壁部に当たりやすくなる。結果、調節部が回転することは、抑制される。
【００１４】
加えて、壁部を掴むことにより、利用者は操作面部を掴みやすくなる。本体部を回転させる作業が容易となる。
【００１５】
請求項２に係る発明では、壁部は、操作面部の縁に沿って設けられている。そのため、壁部は操作面部とより一体化する。結果、壁部が目立ちにくくなり、暖房装置の意匠性が向上する。
【００１６】
請求項３に係る発明では、壁部の平行部は、前面部側に向かって下方に傾斜している。
即ち、平行部の高さは、前面部側に向かって低くなる。操作面部のスイッチを操作する際に、手が平行部に当たりにくくなる。
【００１７】
一方、平行部の高さが前面部側に向かって低くなると、落下物は、調節部の前面部側の部位に衝突しやすくなるともいえる。ただし、調節部は、操作面部が側方に位置している状態を基準として、回転軸よりも前面部側の部位が下方に回転するに伴いヒータの温度を低く調節する。結果、落下物が調節部に衝突する可能性が高くなっても、調節部が高温側に回転することは抑制できる。
【００１８】
請求項４に係る発明では、壁部の一部は、光が透過可能な透過部を有し、この透過部の内部には、光を発する光源部が設けられている。一般的に、平面状のものよりも立体状のものの方が視認しやすい。仮に、透過部が平面状の操作面部に設けられた場合と比較すると、壁部の一部に設けられた透過部は、より視認しやすい。暖房装置の運転状況に応じて、光源を点灯させることにより、暖房機の運転状況が確認しやすい。
【図面の簡単な説明】
【００１９】
【図１】本発明の実施例による暖房装置の斜視図である。
【図２】図１に示された暖房装置の要部拡大図である。
【図３】図２に示された暖房装置の本体部が左方を向いた状態における操作面部を説明する図である。
【図４】図２の４−４線断面図である。
【図５】従来技術による暖房装置を説明する図である。
【発明を実施するための形態】
【００２０】
本発明の実施の形態を添付図に基づいて以下に説明する。なお、図中のＦｒは前（前面部側）、Ｒｒは後（背面部側）、Ｌは左、Ｒは右、Ｕｐは上、Ｄｎは下を示している。
＜実施例＞
【００２１】
図１（ａ）を参照する。図１（ａ）には、本発明の実施例による暖房装置としての電気ストーブ１０（暖房装置１０）が示されている。この電気ストーブ１０は、床Ｆに置かれる基部１１と、この基部１１から立ち上げられた支柱部１２と、この支柱部１２に取り付けられ本体部２０と、からなる。
【００２２】
本体部２０は、発熱により遠赤外線を放射する２本のヒータ２１,２１と、放射された遠赤外線を反射させる反射板２２と、を内蔵する。ヒータ２１,２１及び反射板２２は、保護カバー２３により覆われている。保護カバー２３の上方には第１のパネル２６が設けられている。保護カバー２３の下方には第２のパネル２７が設けられている。
【００２３】
本体部２０は、略直方体状に形成され、ヒータ２１,２１を視認可能な前面部２４と、この前面部２４に沿って設けられヒータ２１,２１の背面を覆っている背面部２５と、これらの前面部２４の上端部から背面部２５の上端部までを繋ぐ操作面部３０と、前面部２４及び背面部２５の側方の部位を繋ぐ第１の側面部２８、第２の側面部２９と、を有する。
【００２４】
図１（ｂ）を併せて、参照する。本体部２０は、支柱部１２に回転可能に支持されている。本体部２０の回転により、操作面部３０は、上方（図１（ａ）参照）又は左方（図１（ｂ）参照）に位置することが可能である。
【００２５】
図２を参照する。操作面部３０が上方に位置する状態（図１（ａ）参照）における電気ストーブ１０について説明する。
【００２６】
操作面部３０の中央には、電源のオンオフ及びヒータ２１,２１の温度を調節可能なつまみ３１（調節部３１）が設けられている。
【００２７】
このつまみ３１は、円柱状を呈し、操作面部３０の法線方向を回転軸Ｎとして回転することにより温度が調節される。つまみ３１は、右回転（矢印（１）の方向）するに伴い、ヒータ２１,２１（図１（ａ）参照）の温度を高くする。
【００２８】
背面部２５側から見て、つまみ３１の右方には、電気ストーブ１０の周囲の環境に応じて運転を行うゆらぎ運転のオンオフを切替えるスイッチ３２が設けられている。つまみ３１の左方には、電気ストーブ１０の運転を切るタイマーのスイッチ３３と、本体部２０の首振り運転のオンオフを切替えるスイッチ３４が設けられている。
【００２９】
操作面部３０からは、上方に向かって壁部４０が延びている。壁部４０は、操作面部３０の縁に沿って設けられている。壁部４０の詳細については、後述する。
【００３０】
壁部４０には、電源のオンオフに応じて点灯・消灯する運転ランプ５０が設けられている。運転ランプ５０は、左右方向を基準として、つまみ３１から右方向にオフセットしている。
【００３１】
なお、運転ランプ５０に代えて、ヒータ２１,２１の温度に応じて照度が変化するランプなど、電源のオンオフに限らず電気ストーブ１０の運転状況を確認できるランプを設けても良い。
【００３２】
第１のパネル２６の上端部２６ａは、操作面部３０の前端を覆っている。上端部２６ａの中央には、下方に向かって抉られている欠肉部２６ｂが形成されている。
【００３３】
図３を参照する。図３には、操作面部３０が左方に位置する状態の電気ストーブ１０が示されている。つまみ３１は、回転軸Ｎよりも背面部２５側の部位が下方に回転するに伴い（矢印（２）の方向）、ヒータ２１,２１の温度を高くするともいえる。
【００３４】
つまみ３１は、略Ｕ字状の壁部４０により囲われている。詳細には、壁部４０は、つまみ３１の背面部２５側の部位を覆っている底部４１と、この底部４１の両端から前面部２４側に向けて互いに略平行に延びる平行部４２,４３と、平行部４２，４３から互いに近づくように延びる延出部４４,４５と、からなる。
【００３５】
平行部４２,４３は、つまみ３１の上下を挟み込む。上側の平行部４２の先端部４２ａ、及び、下側の平行部４３の先端部４３ａは、共に、回転軸Ｎよりも前面部２４側に位置している。
【００３６】
なお、先端部４２ａ,４３ａは、それぞれ、回転軸Ｎの上と下に位置していてもよい。
【００３７】
図４を参照する。操作面部３０は、背面部２５側から見て、前下がりである。詳細には、操作面部３０は、床Ｆ（図１参照）と平行な水平面Ｈを基準として、前面部２４側に向かって下方に傾斜している。
【００３８】
同様に、平行部４３も、背面部２５側から見て、前下がりである。平行部４３は、側面視で、直角三角形状を呈する。平行部４３の先端部４３ａと、延出部４５は、滑らかに連続している。延出部４５と第１のパネル２６の上端部２６ａとの厚みは、略同一である。
そのため、正面側（前面部２４側）から操作面部３０全体がよく見える。さらに、使用者が、操作面部３０のスイッチ３２,３３,３４を操作するときに、平行部４３の先端部４３ａが手に当たらず、良好な操作性を得ることができる。即ち、壁部４０は、操作面部３０の視認性も操作性も阻害しない。
【００３９】
なお、平行部４２、先端部４３ａ、延出部４４も同様の構成である（図２参照）。説明は省略する。
【００４０】
運転ランプ５０は、壁部４０の一部を構成する底部４１（図２参照）に設けられている。この運転ランプ５０は、底部４１の内部に設けられた、例えばＬＥＤ５１（光源５１）と、このＬＥＤ５１を囲う半透明の樹脂からなる樹脂部５２（透過部５２）と、からなる。樹脂部５２は、前面部２４側の内面部５３と、背面部２５側の外面部５４と、これらの内面部５３の端部から外面部５４の端部までを繋ぐ上面部５５と、からなる。
【００４１】
次に、本発明の効果について説明する。
【００４２】
図１（ｂ）,図３を参照する。本体部２０は、操作面部３０から延びる壁部４０を有している。壁部４０は、つまみ３１の背面部２５側の部位を覆っている底部４１と、この底部４１の両端から前面部２４側に向けて互いに略平行に延びる平行部４２,４３と、からなる。
【００４３】
平行部４２,４３は、操作面部３０が左方に位置している状態を基準として、つまみ３１の上下を挟み込み、先端部４２ａ,４３ａは、共に、回転軸Ｎよりも前面部２４側に位置している。
【００４４】
即ち、回転軸Ｎを基準として、つまみ３１の少なくとも半分（背面部側）は、前面部側に開口した略Ｕ字状の壁部４０に囲まれている。そのため、本体部２０が回転して操作面部３０が左方に位置する状態において、物が、つまみ３１に向かって落下しても、落下物は、つまみ３１に衝突する前に、壁部４０に衝突しやすい。結果、つまみが回転することは、抑制される。
【００４５】
図１を参照する。上述の通り、操作面部３０には、操作面部３０から延びる壁部４０が設けられている。そのため、壁部４０を掴むことにより、利用者は操作面部３０を掴みやすくなる。本体部２０を回転させる作業が容易となる。
【００４６】
図２,図４を参照する。壁部４０は、操作面部３０の縁３５に沿って設けられている。そのため、壁部４０は操作面部３０とより一体化する。結果、壁部４０が目立ちにくくなり、電気ストーブ１０の意匠性が向上する。さらに、操作面部３１の縁３５に設けられた壁部４０と、操作面部３１の中央に設けられたつまみ３１との間には所定の間隔が空く。そのため、壁部４０を設けても、つまみ３１の操作性は保たれる。
【００４７】
加えて、操作面部３０は、背面部２５側から見て、前下がりに傾斜している。そのため、つまみ３１も前下がりに傾斜し、相対的に、壁部４０は高くなる。落下物は、つまみ３１に衝突しにくくなる。さらに、電気ストーブ１０を前面部２４側から見る使用者は、操作面部３０に設けられたスイッチ３２〜３４を視認しやすくなる。
【００４８】
加えて、立体状の壁部４０には、電源のオンオフに応じて点灯・消灯する運転ランプ５０が設けられている。仮に、運転ランプ５０が平面状の操作面部３０に設けられた場合と比較すると、電気ストーブ１０の電源が入っているかを確認しやすい。
【００４９】
運転ランプ５０は、壁部４０のなかの底部４１に設けられ、前面部２４側の内面部５３と、背面部２５側の外面部５４と、これらの内面部５３の端部から外面部５４の端部までを繋ぐ上面部５５と、からなる。そのため、使用者は、特に、前面部２４側又は背面部２５側から運転ランプ５０を視認しやすい。
【００５０】
尚、本発明の作用及び効果を奏する限りにおいて、本発明は、実施例に限定されるものではない。別の実施例として、平行部４２,４３の高さは、底部４１から延出部４５にかけて、同一にしても良い。これにより、物が、つまみ３１の前面部２４側又は背面部２５側のいずれに落下しても、つまみ３１が高温側に回転することは、抑制される。
【００５１】
又、電気ストーブは、操作面部が上方又は右方に位置可能なものでもでも良い。この場合、つまみは、左回転（図２の矢印（１）とは逆方向に回転）するに伴い、ヒータの温度を高くする構成となる。
【産業上の利用可能性】
【００５２】
本発明の暖房装置は、電気ストーブに好適である。
【符号の説明】
【００５３】
１０…電気ストーブ
１１…基部
１２…支柱部
２０…本体部
２１…ヒータ
２４…前面部
２５…背面部
３０…操作面部
３１…つまみ（調節部）、３１ａ,３１ｂ…側面部
３５…縁
４０…壁部
４１…底部
４２，４３…平行部、４２ａ,４３ａ…先端部
４４，４５…延出部
５０…運転ランプ
５１…ＬＥＤ（光源）
５２…樹脂部（透過部）
５３…内面部
５４…外面部
５５…上面部
【図１】
2018151150.tif 000003
【図２】
2018151150.tif 000004
【図３】
2018151150.tif 000005
【図４】
2018151150.tif 000006
【図５】
2018151150.tif 000007